(57)【特許請求の範囲】
【請求項１】
ラッチロッドを連結する操作板をケース体に往復移動自在に収納する駆動ユニットと、前記ラッチロッドを外部に突出させて前記駆動ユニットを収納する取付枠と、ガイド枠とともに前記駆動ユニットを前記取付枠にねじ止めして固定する表面枠とを備えてなり、前記操作板は、ばね付きの揺動リンクを介して前記ケース体に連結し、前記取付枠、ガイド枠は、前記操作板の移動経路を規制し、前記駆動ユニットは、前記操作板を前進限、後退限の双方に保持することを特徴とする上げ落し金物。
【請求項２】
前記操作板には、前記表面枠の開口部に露出する操作ノブを付設することを特徴とする請求項１記載の上げ落し金物。
【発明の詳細な説明】
【技術分野】
【０００１】
この発明は、扉や開き窓、障子などを一時的に固定するために使用する上げ落し金物に関する。
【背景技術】
【０００２】
扉などを一時的に固定するために、フランス落し、丸落しなどの上げ落し金物を使用することがある。
【０００３】
従来の上げ落し金物は、扉などの表面に露出させて取り付けるのが普通である（非特許文献１）。そこで、上げ落し金物を外部から隠蔽して取り付ける場合には、カバー付きの収納スペースを用意する必要がある（特許文献１）。
【非特許文献１】橋場信雄、建築用語図解辞典、第３１版、理工学社（１９８４年４月２５日）、１３８、１３９、２１６頁
【特許文献１】特開平１１−３０３５３６号公報
【発明の開示】
【発明が解決しようとする課題】
【０００４】
かかる従来技術によるときは、上げ落し金物は、扉などの表面に露出するから、外観、体裁が必ずしもよくないという欠点があり、これを隠蔽しようとすれば、格別な収納スペースを設けなければならず、煩雑である上、手入れや交換などの際にも著しく不便であるという問題があった。
【０００５】
そこで、この発明の目的は、かかる従来技術の問題に鑑み、駆動ユニットと、取付枠、表面枠とを組み合わせることによって、扉などに簡単に埋込み設置することができ、簡単に着脱することが出来る上げ落し金物を提供することにある。
【課題を解決するための手段】
【０００６】
かかる目的を達成するためのこの発明の構成は、ラッチロッドを連結する操作板をケース体に往復移動自在に収納する駆動ユニットと、ラッチロッドを外部に突出させて駆動ユニットを収納する取付枠と、ガイド枠とともに駆動ユニットを取付枠にねじ止めして固定する表面枠とを備えてなり、操作板は、ばね付きの揺動リンクを介してケース体に連結し、取付枠、ガイド枠は、操作板の移動経路を規制し、駆動ユニットは、操作板を前進限、後退限の双方に保持することをその要旨とする。
【０００７】
なお、操作板には、表面枠の開口部に露出する操作ノブを付設することができる。
【発明の効果】
【０００８】
かかる発明の構成によるときは、駆動ユニットは、ラッチロッドを連結する操作板をケース体に往復移動自在に収納し、取付枠は、ラッチロッドを外部に突出させて駆動ユニットを収納する。そこで、取付枠を扉などに埋め込んで固定し、この取付枠に駆動ユニットを収納した上、表面枠を介してガイド枠とともに駆動ユニットをねじ止めして固定すれば、全体を体裁よく扉などに埋め込んで設置することができ、表面枠を取り外すことにより、ガイド枠、駆動ユニットを外部に簡単に取り出すことができる。なお、操作板に連結するラッチロッドは、取付枠の外部に突出し、たとえば床面や扉枠などに設置する受け部材に先端部を挿入して扉などを固定する。一方、操作板は、ラッチロッドを長く突出させる前進限に保持して扉などを固定し、また、ラッチロッドを十分に後退させる後退限に保持して扉などを解放することができる。ただし、操作板は、取付枠、ガイド枠を介して、ケース体に対する収納深さが規定され、移動経路が規制されており、前進限または後退限の一方から他方に向けて円滑に往復手動操作することができる。
【０００９】
操作板は、ばね付きの揺動リンクを介してケース体に連結することにより、良好なスナップ感覚を実現することができる。揺動リンクは、操作板の移動ストロークを規制し、ばねは、揺動リンクを適切に付勢することにより、操作板が前進限、後退限の一方から他方に移動する中間点において、所要操作力のピークを作ることができるからである。
【００１０】
操作板は、表面枠の開口部に露出する操作ノブを付設することにより、操作ノブを介して前進限、後退限の一方から他方に手動操作することができる。なお、操作ノブは、揺動リンクの一端を操作板に連結する連結点としてもよい。
【発明を実施するための最良の形態】
【００１１】
以下、図面を以って発明の実施の形態を説明する。
【００１２】
上げ落し金物は、駆動ユニット１０と、取付枠２１、ガイド枠２２、表面枠２３とを備えてなる（図１）。
【００１３】
駆動ユニット１０は、ラッチロッド１１を連結する操作板１２と、操作板１２を往復移動自在に収納するケース体１３と、操作板１２をケース体１３に連結する揺動リンク１４、１４、ばね１５とを組み合わせて構成されている（図１、図２）。ただし、図２には、揺動リンク１４、１４は、１枚のみが図示されている。
【００１４】
ラッチロッド１１は、丸棒材の一端を尖らせ、他端側に雄ねじ部１１ａを形成している。また、操作板１２は、帯板材の一端を直角に屈曲させ、屈曲部１２ａに対し、ラッチロッド１１の雄ねじ部１１ａを貫通させる丸孔を介してナット１２ｂが溶接されている。ケース体１３は、１枚の薄板材を船形に折り曲げて形成されている。ケース体１３の幅は、操作板１２の幅に適合しており、ケース体１３の左右の各辺の上端には、左右の外向きのフランジ１３ａ、１３ａが形成されている。なお、各フランジ１３ａの両端には、組立用の小ねじ２４用の丸孔１３ｂ、１３ｂが形成されている。
【００１５】
操作板１２には、補強板１６ａを介して操作ノブ１６が付設されている。補強板１６ａは、操作板１２の裏面側に固定され、補強板１６ａの一端は、直角に屈曲されている。また、操作ノブ１６は、補強板１６ａに溶接し、補強板１６ａ、操作板１２の裏面側から表面側に貫通させている。
【００１６】
操作板１２は、揺動リンク１４、１４、ばね１５を介してケース体１３に連結されている（図２、図３）。すなわち、揺動リンク１４、１４の一端は、割りピン１４ａを介して操作板１２と一体の操作ノブ１６の基部に回転自在に連結されており、揺動リンク１４、１４の他端は、別の割りピン１４ｂ、スペーサ１４ｃ、１４ｃ、カラー１４ｄを介し、ばね１５の中間のコイル部分１５ａに回転自在に連結されている。なお、カラー１４ｄは、コイル部分１５ａに挿入され、ばね性の線材からなるばね１５の両端部は、ほぼ直角に屈曲する脚部１５ｂ、１５ｂを介して、ケース体１３の底部１３ｃにねじ止めされている。
【００１７】
ガイド枠２２は、ケース体１３のフランジ１３ａ、１３ａ上に載せるようにして駆動ユニット１０と組み合わせる長方形の枠部材である（図１）。ガイド枠２２の長辺方向には、係合片２２ａ、２２ａが垂設されており、各係合片２２ａは、ケース体１３の各フランジ１３ａの先端の浅い切欠き１３ａ1 内に垂下する。また、ガイド枠２２の一方の短辺側には、短いガイド片２２ｂが垂設され、他方には、ガイド舌片２２ｃが外向きに突設されている。ガイド片２２ｂの下端、ガイド舌片２２ｃの下面は、それぞれガイド枠２２の上端縁からほぼ同一距離に揃えられている。
【００１８】
表面枠２３は、駆動ユニット１０の操作ノブ１６用の長方形の開口部２３ａを有する化粧枠である。表面枠２３の４隅部には、組立用の小ねじ２４、２４…用の皿孔２３ｂ、２３ｂ…が形成され、開口部２３ａの周囲裏面側には、スペーサリブ２３ｃが形成されている。
【００１９】
取付枠２１は、駆動ユニット１０を収納し、ガイド枠２２、表面枠２３とともに小ねじ２４、２４…を介して一体に組み立てることができる。すなわち、取付枠２１は、板材を折り曲げることにより、駆動ユニット１０用の収納スペース２１ａの短辺側に支持壁２１ｂ、２１ｂを立設し、ケース体１３のフランジ１３ａ、１３ａを支承する支持片２１ｃ、２１ｃ…を各支持壁２１ｂの上端縁に内向きに形成し、各支持片２１ｃには、小ねじ２４に適合するねじ孔２１ｄを形成している。また、一方の支持壁２１ｂには、駆動ユニット１０のラッチロッド１１を貫通させる丸孔２１ｅが形成されている。さらに、取付枠２１には、互いに直交する取付片２１ｆ、２１ｆを形成する取付材２１ｇが組み合わされている。
【００２０】
かかる上げ落し金物は、たとえば扉５０の反ヒンジ側の下隅部に対し、体裁よく埋込み設置することができる（図４、図５）。上げ落し金物は、扉５０の下端からラッチロッド１１を下向きに突出させ、ラッチロッド１１の先端を床面Ｆに埋設する受け部材２５に挿入して係合させることにより、扉５０を一時的に固定することができる。
【００２１】
扉５０は、ペーパハニカムの芯材５１の両面に表面材５２、５２を付設して形成されている。芯材５１の四周には、構造材５３、５３…が配設されており、扉５０の各側端面には、竪框材５４が付設されている。また、扉５０の下端には、下框材５５、５５を介してシール材５５ａ、５５ａが床面Ｆの近くにまで垂設されている。
【００２２】
上げ落し金物は、取付枠２１の取付片２１ｆ、２１ｆを扉５０内の縦横の構造材５３、５３にねじ止めし、取付枠２１に駆動ユニット１０を収納し、ガイド枠２２、駆動ユニット１０のケース体１３とともに、小ねじ２４、２４…を介して表面枠２３を取付枠２１にねじ止めして固定することにより、扉５０に組み込まれている。なお、駆動ユニット１０のラッチロッド１１は、取付枠２１から外部に下向きに突出させ、下の構造材５３の孔５３ａを上から下に貫通させている。
【００２３】
ラッチロッド１１は、表面枠２３の開口部２３ａに露出する操作ノブ１６を介して上下に駆動操作することができる（図４、図５の各実線、二点鎖線）。すなわち、操作ノブ１６、ラッチロッド１１は、操作板１２を介して一体に組み立てられており、操作板１２は、ケース体１３の長辺方向に安定に往復移動させることができる。操作板１２のラッチロッド１１側は、ラッチロッド１１が取付枠２１の丸孔２１ｅを貫通することにより位置決めされ（図１）、他端側は、丸孔２１ｅに対面する反対側の支持壁２１ｂ上の支持片２１ｃ、２１ｃの間において、支持壁２１ｂの上端縁とガイド枠２２のガイド舌片２２ｃの下面との間に挟まれて位置決めされており、したがって、操作板１２は、取付枠２１、ガイド枠２２を介して往復移動経路が規制されているからである。
【００２４】
操作板１２、ラッチロッド１１の下降限、すなわち両者の前進限は、ラッチロッド１１を連結する操作板１２の屈曲部１２ａが取付枠２１の一方の支持壁２１ｂに当接することにより規制され（図５の実線）、操作板１２、ラッチロッド１１の上昇限、すなわち両者の後退限は、操作板１２の裏面側の補強板１６ａの屈曲部分が他方の支持壁２１ｂに当接することにより規制されている（同図の二点鎖線）。また、操作板１２、ラッチロッド１１は、前進限、後退限の双方において、揺動リンク１４、１４、ばね１５を介して保持されている。操作ノブ１６を介して操作板１２を駆動操作するときの操作力は、操作板１２の前進限（図２の二点鎖線）、後退限（同図の実線）のいずれか一方から両者の中間点（同図の一点鎖線）に至るまで、ばね１５の変形量の増大とともに一様に増加し、中間点を越えることにより一様に減少し、前進限または後退限において実質的にほぼ消滅するからである。
【００２５】
上げ落し金物を扉５０に組み込むときの手順は、たとえば図６、図７のステップ（１）〜（８）による。ただし、以下の説明において、図６、図７のステップ（１）〜（８）は、単に（１）、（２）…（８）のように記す。
【００２６】
扉５０を図示しない扉枠に取り付けるに先き立ち、扉５０の一方の表面材５２に形成する取付孔５２ａに対応するようにして、取付枠２１を扉５０内にあらかじめねじ止め固定しておき（１）、つづいて、取付枠２１に駆動ユニット１０を収納する（（１）〜（３））。このとき、駆動ユニット１０は、操作板１２からラッチロッド１１を取り外しておき、操作板１２は、ケース体１３内において、後退限相当に後退させておく。そこで、ケース体１３から突出する操作板１２の後端部を扉５０の表面材５２の裏面側に挿入するようにして（（１）、（２））、駆動ユニット１０を取付枠２１に収納することができる（３）。
【００２７】
つづいて、駆動ユニット１０上にガイド枠２２をセットし（（４）、（５））、小ねじ２４、２４…を介して表面枠２３をガイド枠２２の上からねじ止めして固定する（６）。その後、扉５０の構造材５３の孔５３ａを介してラッチロッド１１を操作板１２に連結する（（７）、（８））。なお、ラッチロッド１１は、雄ねじ部１１ａを操作板１２側のナット１２ｂにねじ込んで連結すればよい。
【００２８】
扉５０は、以上のようにして上げ落し金物を組み込んだら、図示しない扉枠のヒンジに組み付ける。ただし、床面Ｆの所定位置には、ラッチロッド１１に対応する受け部材２５をあらかじめ埋設しておくものとする。なお、扉５０内の上げ落し金物を取り外すときは、扉５０を扉枠から外した上、図６、図７のステップ（１）〜（８）を逆順に実行すればよい。
【００２９】
以上の説明において、操作板１２、ラッチロッド１１は、ばね１５、揺動リンク１４、１４を使用するに代えて、たとえば簡単な外付けの係止部材を操作ノブ１６に係脱させることにより、前進限、後退限の双方に保持させてもよい。
【００３０】
なお、この発明に係る上げ落し金物は、ラッチロッド１１を扉５０から上向き、または横向きに突出させ、対応する受け部材２５を扉枠に設置して使用することができる。また、上げ落し金物を扉枠側に固定し、受け部材２５を扉５０側に設けることも可能である。さらに、上げ落し金物は、扉５０に代えて、他の任意の窓や戸、障子などにも好適に適用可能である。
【図面の簡単な説明】
【００３１】
【図１】全体構成分解斜視図
【図２】要部拡大構成説明図
【図３】要部拡大分解斜視図
【図４】使用状態説明図（１）
【図５】使用状態説明図（２）
【図６】使用状態説明図（３）
【図７】使用状態説明図（４）
【符号の説明】
【００３２】
１０…駆動ユニット
１１…ラッチロッド
１２…操作板
１３…ケース体
１４…揺動リンク
１５…ばね
１６…操作ノブ
２１…取付枠
２２…ガイド枠
２３…表面枠
２３ａ…開口部
特許出願人          小松ウオール工業株式会社
代理人  弁理士                松  田  忠  秋
【図１】
0005111044.tif 000002
【図２】
0005111044.tif 000003
【図３】
0005111044.tif 000004
【図４】
0005111044.tif 000005
【図５】
0005111044.tif 000006
【図６】
0005111044.tif 000007
【図７】
0005111044.tif 000008